(57)【特許請求の範囲】
【請求項１】
画素がマトリクス状に複数配列された表示部と、
該画素を選択する複数の走査線と、
選択された画素に画像信号を供給する複数の信号線と、
上記画素の色表示に対応して配置されたカラーフィルタと、
を備え、 
上記表示部は有効画素部分と該有効画素部分を取り囲む額縁部分とを有し、
上記額縁部分と上記有効画素部分の配線回路が遮光層により覆われるとともに、該遮光層は表示部上のいずれかの箇所で切り離され、該箇所に異なる色の複数のカラーフィルタを積層配置している表示装置。
【請求項２】
上記切り離しの箇所が上記有効画素部分の行方向両端の画素列部分である請求項１に記載の表示装置。
【請求項３】
上記切り離しの箇所が上記額縁部分にあり、上記有効画素部分に近接しかつ上記有効画素部分の外側である請求項１に記載の表示装置。
【請求項４】
上記切り離しの箇所が上記額縁部分にあり、上記切り離し形状がロの字の形状である請求項１に記載の表示装置。
【請求項５】
上記走査線と上記信号線を含む画素基板と上記カラーフィルタを含む対向基板とがシール材で接着され、
上記切り離し形状がロの字の形状であり、上記切り離しの箇所が上記シール材の部分にある請求項１に記載の表示装置。
【請求項６】
上記画素は赤、緑、青の３色である請求項１に記載の表示装置。
【請求項７】
上記画素は赤、緑、青、白の４色である請求項１に記載の表示装置。
【請求項８】
上記有効画素部分の行方向の端部の画素列は白色の画素列であり、上記切り離しの箇所が上記端部の白色の画素列に隣接する画素列部分である請求項７に記載の表示装置。
【請求項９】
上記切り離しの箇所が上記額縁部分にあり、上記有効画素部分に近接しかつ上記有効画素部分の外側である請求項７に記載の表示装置。
【請求項１０】
画素がマトリクス状に複数配列された表示部と、該画素を選択する複数の走査線と、選択された画素に画像信号を供給する複数の信号線と、上記画素の色表示に対応して配置されたカラーフィルタとを有する表示装置の製造方法であって、
上記液晶パネルの額縁部分と上記有効画素部分の配線回路を遮光層により覆うとともに、該遮光層が表示部のいずれかの箇所で切り離されるように形成するステップと、
上記遮光層を切り離した箇所に、異なる色の複数のカラーフィルタを積層配置するステップと、
を有する表示装置の製造方法。
【請求項１１】
表示装置を有し、
上記表示装置は、
画素がマトリクス状に複数配列された表示部と、
該画素を選択する複数の走査線と、
選択された画素に画像信号を供給する複数の信号線と、
上記画素の色表示に対応して配置されたカラーフィルタとを備え、
上記液晶パネルは額縁部分と有効画素部分とで構成され、
上記額縁部分と上記有効画素部分の配線回路が遮光層により覆われるとともに、該遮光層は表示部上のいずれかの箇所で切り離され、該箇所に異なる色の複数のカラーフィルタを積層配置している電子機器。
【発明の詳細な説明】
【技術分野】
【０００１】
本開示は、外光反射により発生する画面上の輝線を見えにくくする表示装置、表示方法、及び電子機器に関する。
【先行技術文献】
【特許文献】
【０００２】
【特許文献１】特開２０１１−１７０１３４号公報
【背景技術】
【０００３】
通常、液晶表示装置では、その額縁部分（ダミー画素部分）および有効画素部分内の配線部分の上部は外部からの光の反射を防止するため，遮光層（例えばカーボン材料等で作られる）により覆われている（ブラック遮光と呼ぶ）。
この遮光層の材料は低抵抗であるため，遮光層のすべてが接続状態になっていると、チャージが画素内部に進入し、有効画素部分の画素が黒表示状態になっていても明るくなってしまう。
これを抑制する技術としては、偏光板によるクロスニコルによるものがある。（特許文献１参照）。しかし外部からの光の反射に対しては不十分である。
また、帯電を抑えるため，額縁部分の遮光層と有効画素内の配線部分の上部の遮光層を有効画素内の最外周の画素部分で切り離すこともできる。
【発明の概要】
【発明が解決しようとする課題】
【０００４】
ところで、上記のクロスニコルによる対策、遮光層を有効画素内の最外周の画素部分で切り離すという対策をしても、画像表示の品質がまだ不十分である。
本開示では、さらに高品質な画像を表示できる表示装置を提供することを目的とする。
【課題を解決するための手段】
【０００５】
本開示の表示装置は、画素がマトリクス状に複数配列された表示部と、該画素を選択する複数の走査線と、選択された画素に画像信号を供給する複数の信号線と、上記画素の色表示に対応して配置されたカラーフィルタとを備え、上記表示部は有効画素部分と該有効画素部分を取り囲む額縁部分とを有する。
そして、上記額縁部分と上記有効画素部分の配線回路が遮光層により覆われるとともに、該遮光層は表示部上のいずれかの箇所で切り離され、該箇所に異なる色の複数のカラーフィルタを積層配置している。
また本開示の電子機器は、このような表示装置を備える。
【０００６】
本開示の表示装置の製造方法は、画素がマトリクス状に複数配列された表示部と、該画素を選択する複数の走査線と、選択された画素に画像信号を供給する複数の信号線と、上記画素の色表示に対応して配置されたカラーフィルタとを有する表示装置の製造方法であって、上記液晶パネルの額縁部分と上記有効画素部分の配線回路を遮光層により覆うとともに、該遮光層が表示部のいずれかの箇所で切り離されるように形成するステップと、上記遮光層を切り離した箇所に、異なる色の複数のカラーフィルタを積層配置するステップと、を有する。
【０００７】
このような本開示の技術では、遮光層が切り離されているので帯電を防止できる。
そして切り離されて、遮光層のなくなった部分に色の違うカラーフィルタを積層することにより、光の透過率が低くなり、外部からの光が入射し基板の配線部分からの反射があっても、その反射光を見えにくくすることができる。
【発明の効果】
【０００８】
本開示によれば、帯電による遮光部分が明るくなる現象を抑えることができるとともに、外部の光による反射を抑えることができるので、さらに高品質な画像を表示できる表示装置を実現できるという効果がある。
【図面の簡単な説明】
【０００９】
【図１】第１の実施の形態の表示装置の画素の構成の説明図である。
【図２】第１の実施の形態の表示装置の遮光層とカラーフィルタの配置を表す断面図である。
【図３】第２の実施の形態の表示装置の画素の構成および遮光層とカラーフィルタの配置を表す図である。
【図４】第３の実施の形態の表示装置の画素の構成および遮光層とカラーフィルタの配置を表す図である。
【図５】第４の実施の形態の表示装置の画素の構成および遮光層とカラーフィルタの配置を表す図である。
【図６】第５の実施の形態の表示装置の画素の構成および遮光層とカラーフィルタの配置を表す図である。
【図７】第５の実施の形態の変形例についての説明図である。
【図８】液晶パネルの内部の概略構成を示した断面図である。
【図９】実施の形態の適用例の電子機器の説明図である。
【図１０】実施の形態の適用例の電子機器の説明図である。
【図１１】実施の形態の適用例の電子機器の説明図である。
【発明を実施するための形態】
【００１０】
以下、実施の形態を次の順序で説明する。
＜１．液晶パネルの概略構成＞
＜２．第１の実施の形態＞
＜３．第２の実施の形態＞
＜４．第３の実施の形態＞
＜５．第４の実施の形態＞
＜６．第５の実施の形態＞
＜７．その他電子機器への適用例、変形例＞
【００１１】
＜１．液晶パネルの概略構成＞
表示装置の実施の形態として、液晶表示装置の例で説明する。そこでまず、液晶パネル３０の概略構成を図８で説明する。
【００１２】
図８は、液晶パネル３０の断面構造の概略の例を表すものである。
図８に示すように、液晶パネル３０は、回路基板としてのＴＦＴ基板３１と画素電極３２および偏光板３７からなる画素基板と、この画素基板に対向して配置された、ガラス基板３４、カラーフィルタ３３と、駆動電極ＣＯＭＬ、偏光板３５とからなる対向基板とを有する。画素基板と対向基板との間に挿設された液晶層３６とを備えている。
【００１３】
画素基板は、回路基板としてのＴＦＴ基板３１と、このＴＦＴ基板３１上にマトリックス状に配設された複数の画素電極３２およびＴＦＴ基板３１の下に配設された偏光板３７とを有する。ＴＦＴ基板３１には、図示していないものの、各画素の薄膜トランジスタ（ＴＦＴ；Thin Film Transistor）や、各画素電極３２に画像信号を供給する信号線、各ＴＦＴを駆動する信号線等の配線が形成されている。
【００１４】
対向基板は、ガラス基板３４と、このガラス基板３４の一方の面に形成されたカラーフィルタ３３と、このカラーフィルタ３３の下に形成された複数の駆動電極ＣＯＭＬとを有する。
カラーフィルタ３３は、例えば赤（Ｒ）、緑（Ｇ）、青（Ｂ）の３色のカラーフィルタ層を周期的に配列して構成したもので、各表示画素に赤、緑、青の３色が１組として対応付けられている。
【００１５】
駆動電極ＣＯＭＬは、液晶パネル３０の共通駆動電極として機能するものであり、この例では、１つの駆動電極ＣＯＭＬが２つの画素電極３２（１行を構成する画素電極３２）に対応するように配置されている。駆動電極ＣＯＭＬは、図示しないコンタクト導電柱によってＴＦＴ基板３１と連結され、このコンタクト導電柱を介して、ＴＦＴ基板３１から駆動電極ＣＯＭＬに駆動信号が印加されるようになっている。ガラス基板３４の他方の面には、偏光板３５が配設されている。  
【００１６】
液晶層３６は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。
液晶層３６は、それ自体が発光しないため、映像を表示するためには光源が必要になる。通常、この光は液晶パネル３０の表示面とは反対側の背面に設けられる。このことからバックライト（図示せず）とよばれる。
バックライトからの光はＴＦＴ基板３１側から、偏光板３７により光波の振動方向が整えられつつ、液晶層３６に導かれる。この光は液晶画素内部で液晶分子と遭遇する。液晶分子の配列は周辺に敷かれた電極によって発せられた電界によって変化し、光はこの液晶分子の配列方向の影響を受けてねじ曲げられたり、屈折したりする（変調される）ことになる。映像出力側(映像表示面側、ユーザー側)には偏光板３５が配置されており、液晶層３６に入ってきた状態の光は、そのままでは映像出力側に出力されない(＝黒表示になる)。
しかし、上述したように液晶層３６の液晶分子の配列方向の影響で光の振動方向が変化することにより、偏光板３５から光が出力される。
【００１７】
すなわち、液晶層３６の各液晶画素は、バックライトからの光を、液晶分子の配列状態をコントロールして、明暗の表示を行う。
明暗の表示だけでは白黒映像になってしまうが、カラーフィルタ３３により、赤のカラーフィルタに対応する明暗の表示を行う液晶画素、緑のカラーフィルタに対応する明暗の表示を行う液晶画素、青のカラーフィルタに対応する明暗の表示を行う液晶画素がそれぞれ個別に赤（Ｒ）緑（Ｇ）青（Ｂ）光を出すことになり、カラー表示が行われる。
なお、ここでは赤、緑、青の３原色画素構成としているが、例えば赤、緑、青に加えて白を設ける場合もある。
なお、液晶層３６と画素基板との間、および液晶層３６と対向基板との間には、それぞ
れ配向膜が配設されているが、ここでは図示を省略している。
【００１８】
画素構造について少し詳細に述べておく。
各画素は、マトリックス状に配列されているが、これらの画素は、液晶層３６に液晶画素として形成されている。
ＴＦＴ基板３１は、薄膜トランジスタにより構成されるものであり、例えば、ｎチャネルのＭＯＳ（Metal Oxide Semiconductor）型のＴＦＴで構成されている。ＴＦＴ基板３１のトランジスタのソースは映像信号線に接続され、トランジスタのゲートは走査信号線に接続され、ドレインは液晶画素の一端に接続されている。液晶画素の他端は駆動電極ＣＯＭＬに接続されている。
【００１９】
液晶画素は、走査信号線により、液晶パネル３０の同じ行に属する他の液晶画素と互いに接続されている。走査信号線は、ゲートドライバより走査信号が供給される。
また、液晶画素は、映像信号線により、液晶パネル３０の同じ列に属する他の液晶画素と互いに接続されている。映像信号線は、ソースドライバより映像信号が供給される。
【００２０】
さらに、液晶画素は、駆動電極ＣＯＭＬにより、液晶パネル３０の同じ行に属する他の液晶画素と互いに接続されている。つまり、この例では、同じ１行に属する複数の液晶画素が１本の駆動電極ＣＯＭＬを共有するようになっている。
【００２１】
この構成により、液晶パネル３０では、走査信号線を時分割的に順次走査するように駆動することにより、１水平ラインが順次選択され、その１水平ラインに属する液晶画素に対して、映像信号を供給することにより、１水平ラインずつ表示が行われるようになっている。
【００２２】
＜２．第１の実施の形態＞
本開示の第１の実施の形態を図１、図２により説明する。
図１Ａは、液晶パネル１の正面を模式的に表した図である。
図１Ａに示すように、液晶パネル１は、赤（Ｒ）画素２、緑（Ｇ）画素３、青（Ｂ）画素４の画素が周期的に繰り返し配置され、全体としてマトリクス状に配列されている。ここで、Ｒ画素２、Ｇ画素３、Ｂ画素４の各画素は上述の液晶画素に相当する。
Ｒ画素２、Ｇ画素３、Ｂ画素４の各画素がマトリクス状に配列表示されている部分が有効画素部分である。その外側が額縁部分でありダミー画素が配列されている。額縁部分のダミー画素の配列は有効画素部分と同様とされる。
【００２３】
図１Ａに示すように液晶パネル１の額縁部分は遮光層５で覆われている。さらに図１Ａでは示していないがＲ画素２、Ｇ画素３、Ｂ画素４が配列された有効画素部分も、配線回路部分（走査線、信号線、薄膜トランジスタ等）が配置されている領域は遮光層５で覆われている。
遮光層５は外部からの光の反射や漏れ光を防止するものである。遮光層５は例えばカーボン材料で作成されている。    
このとき、額縁部分の遮光層５と、配線回路部分の遮光層５は、有効画素部分の左端のＲ画素２の画素列の配置された部分、および有効画素部分の右端のＢ画素４の画素列の配置された部分で切り離されている。
【００２４】
図１Ｂは、図１Ａにおいて液晶パネル１の左側の点線で囲まれた部分を拡大した図である。遮光層５を斜線部として示している。
図１Ｂに示すように、遮光層５が液晶パネル１の額縁部分を覆い、さらにＲ画素２、Ｇ画素３、Ｂ画素４が並ぶ有効画素部分の配線回路部分を覆っている。このとき、額縁部分の遮光層５と、有効画素部分の遮光層５とは、有効画素部分の左端のＲ画素２の画素列の配置された部分、すなわち額縁部分の右側であり、近接するＲ画素２の画素列の部分で切り離されている。
遮光層５を切り離しているのは次の理由による。
遮光層５には比較的低抵抗のカーボン材料等が用いられるが、すると、額縁部分の遮光層５と、有効画素部分の遮光層５を連続させると、有効画素外部からのチャージが画素内部に進入し、有効画素部分の画素が黒表示状態でも明るくなってしまう。そこで遮光層５を切り離し、帯電により有効画素部分の画素が明るくなってしまうことを避けるようにするものである。
ここで切り離した部分において、図面上塗りつぶして示している部分は、その画素列とは色の相違するカラーフィルタを積層している。
【００２５】
図１Ｃは、図１Ａにおいて液晶パネル１の右側の点線で囲まれた部分を拡大した図である。
図１Ｃに示すように、遮光層５が液晶パネル１の額縁部分を覆い、さらにＲ画素２、Ｇ画素３、Ｂ画素４が並ぶ有効画素部分の配線回路部分を覆っている。こちらも額縁部分の遮光層５と、有効画素部分の遮光層５とは、額縁部分の左側であり、近接するＢ画素４の画素列の部分で遮光層５は切り離されている。
切り離した部分において図面上塗りつぶして示している部分は、その画素列とは色の相違するカラーフィルタを積層している。
【００２６】
図２は図１における液晶パネル１の断面構造を簡略に表したものである。
図２Ａは図１Ｂにおいてａ−ａ部分の断面を表した図である。
図２Ａに示すように、ＴＦＴ基板３１の上にカラーフィルタＣＦが配設されている。左から赤カラーフィルタ１１、緑カラーフィルタ１２、青カラーフィルタ１３が配置されている。
Ｒ画素２、Ｇ画素３、Ｂ画素４は図示していないが、ＴＦＴ基板３１と赤カラーフィルタ１１、緑カラーフィルタ１２、青カラーフィルタ１３との間に形成されている。
遮光層５は緑カラーフィルタ１２と青カラーフィルタ１３を覆っている。この部分は画素の行間であって画素回路や走査線が配置される部分である。また遮光層５は、額縁部分を覆っている。そして、遮光層５は赤カラーフィルタ１１の上（図１Ｂの塗りつぶし部分）で切り離されている。
赤カラーフィルタ１１には、赤とは違う色の青カラーフィルタ１３が積層されている。この場合、赤以外の色であればいずれのカラーフィルタで積層してもよい。
【００２７】
図２Ｂは図１Ａにおいてｂ−ｂ部分の断面を表した図である。
図２Ｂに示すように、ＴＦＴ基板３１の上にカラーフィルタＣＦが配設されている。左から赤カラーフィルタ１１、緑カラーフィルタ１２、青カラーフィルタ１３が配置されている。
遮光層５は額縁部分及び有効画素部分における信号線配線を覆っている。
【００２８】
上記図２Ａのように、遮光層５の切り離し部分に赤カラーフィルタ１１と青カラーフィルタ１３を積層するのは次の理由による。
上述のように帯電を避けるために遮光層５を切り離すが、すると、遮光層５が設けられない部分（上下のＲ画素２の間の配線回路部分）での、外光による反射が生ずる。このような外光反射が、垂直方向に並ぶＲ画素２の各間隙部で発生することで、表示画面の左側の隅に縦につながる１本の赤い線（反射輝線）が視認されてしまう状態となり、画面品質を低下させる。
そこでこのような反射輝線が視認されることを防止するため、当該部分に、赤カラーフィルタ１１に他の色のカラーフィルタ１３を積層し、透過率を下げ、配線回路部分の反射による反射輝線が視認されにくくなるようにするものである。
なお、赤カラーフィルタ１１に緑カラーフィルタ１２を積層してもよいが、青カラーフィルタ１３を積層することは、透過率を下げる点でより有効である。
【００２９】
図２Ｃは図１においてｃ−ｃ部分の断面を表した図である。
図２Ｃに示すように、ＴＦＴ基板３１の上にカラーフィルタＣＦが配設されている。左から赤カラーフィルタ１１、緑カラーフィルタ１２、青カラーフィルタ１３が配置されている。Ｒ画素２、Ｇ画素３、Ｂ画素４の画素は図示していないが、ＴＦＴ基板３１と赤カラーフィルタ１１、緑カラーフィルタ１２、青カラーフィルタ１３との間に形成されている。
遮光層５は赤カラーフィルタ１１と緑カラーフィルタ１２を覆っている。この部分は画素の行間であって画素回路や走査線が配置される部分である。また遮光層５は、額縁部分を覆っている。そして、遮光層５は青カラーフィルタ１３の上（図１Ｃの塗りつぶし部分）で切り離されている。
青カラーフィルタ１３には、青とは違う色の赤カラーフィルタ１１が積層されている。この場合、青以外の色であればいずれのカラーフィルタで積層してもよい。
【００３０】
図２Ｄは図１Ｃにおいてｄ−ｄ部分の断面を表した図である。
図２Ｄに示すように、ＴＦＴ基板３１の上にカラーフィルタＣＦが配設されている。左から赤カラーフィルタ１１、緑カラーフィルタ１２、青カラーフィルタ１３が配置されている。
遮光層５は額縁部分及び有効画素部分における信号線配線を覆っている。
【００３１】
上記図２Ｃのように、遮光層５の切り離し部分に青カラーフィルタ１３と赤カラーフィルタ１１を積層するのも、上記図２Ａと同様の理由による。即ち青カラーフィルタ１３に他の色のカラーフィルタを積層し、透過率を下げ、配線回路部分の反射による反射輝線が視認されにくくなるようにするものである。
但し、この場合、青カラーフィルタ１３の配設部分であり、表示画面の右側の隅に縦に生ずる外光輝線は青の線となるが、これは元々あまり目立たない。しかしながら、この場合も、カラーフィルタを積層配置することで、より外光輝線が目立たないようにするものである。
【００３２】
以上が第１の実施の形態の構成である。この構成により、帯電による遮光部分が明るくなる現象を抑えることができるとともに、外光反射輝線が視認されることを抑えることができる。これにより、さらに高品質な画像を表示できる表示装置を実現できる。
【００３３】
＜３．第２の実施の形態＞
本開示の第２の実施の形態を図３により説明する。
第１の実施の形態では、遮光層５は有効画素部分の左端のＲ画素２の画素列の配置された部分または右端のＢ画素４の画素列の配置された部分で切り離されていた。
これに対し、本実施の形態では、左右にある額縁部分のダミー画素部分で遮光層５を切り離そうとするものである。  
既に説明した部分と同様となる部分については同一符号を付して説明を省略する。
【００３４】
図３Ａ、図３Ｂは、その詳細を示すものであり、図１においてそれぞれ図１Ｂ、図１Ｃに相当する図である。まず図３Ａから説明する。
図３Ａは液晶パネル１の左端部分を拡大した図である。
図３Ａに示すように、遮光層５が額縁部分を覆い、さらに有効画素部分であるＲ画素２、Ｇ画素３、Ｂ画素４の画素が並んでいる行間を覆っている。左端の額縁部分のダミー画素の部分（図の塗りつぶし部分）で遮光層５は切り離されている。
【００３５】
図３Ｃは、図３Ａにおいてｆ−ｆ部の断面を表した図である。
図３Ｃに示すように、ＴＦＴ基板３１の上にカラーフィルタＣＦが配設されている。左から青カラーフィルタ１３、赤カラーフィルタ１１、緑カラーフィルタ１２、青カラーフィルタ１３が配置されている。左側の青カラーフィルタ１３には赤カラーフィルタ１１が積層されている。この部分は額縁部分のダミー画素の部分である。その他の部分は有効画素部分である。
遮光層５は左側の額縁部分を覆っている。遮光層５は、画素の行間において額縁部分の右端のダミー画素の部分で切り離されているので、左側の青カラーフィルタ１３の上部には遮光層５はない。有効画素部分については信号線配線上に遮光層５が設けられる。
【００３６】
額縁部分であり、その右端のダミー画素である青カラーフィルタ１３には上述のとおりその色とは異なる赤カラーフィルタ１１が積層されている。積層するカラーフィルタは青以外の色であればいずれのカラーフィルタでもよい。
Ｒ画素２、Ｇ画素３、Ｂ画素４の画素は図示していないが、ＴＦＴ基板３１とカラーフィルタＣＦとの間に形成されている。  
【００３７】
図３Ｄは、図３Ａにおいてｅ−ｅ部の断面を表した図である。
図３Ｄに示すように、ＴＦＴ基板３１の上にカラーフィルタＣＦが配設されている。左から青カラーフィルタ１３、赤カラーフィルタ１１、緑カラーフィルタ１２、青カラーフィルタ１３が配置されている。左端の青カラーフィルタ１３には赤カラーフィルタ１１が積層されている。この部分は額縁部分のダミー画素の部分である。その他の部分は有効画素部分である。
Ｒ画素２、Ｇ画素３、Ｂ画素４の画素は図示していないが、ＴＦＴ基板３１とカラーフィルタＣＦの間に形成されている。
遮光層５は赤カラーフィルタ１１、緑カラーフィルタ１２および青カラーフィルタ１３を覆っている。この部分は画素の行間であって画素回路や走査線が配置される部分であり、有効画素の部分である。また遮光層５は、額縁部分を覆っている。そして、遮光層５は額縁部分の有効画素部分に近接する青カラーフィルタ１３の上で切り離されている。青カラーフィルタ１３には、青とは違う色の赤カラーフィルタ１１が積層されている。この場合、青以外の色であればいずれのカラーフィルタで積層してもよい。
この遮光層５の切り離しにより帯電を抑えるとともに、さらに切り離し部分にその部分の青カラーフィルタ１３とは異なる色のカラーフィルタを積層することにより、透過率を減少させ、外からの光の反射を抑えることができ反射輝線を抑えることができる。
【００３８】
図３Ｂは、上述したとおり、図１においてそれぞれ図１Ｃに相当する図である。すなわち液晶パネル１の右端部分を拡大した図である。
図３Ｂに示すように、遮光層５がＲ画素２、Ｇ画素３、Ｂ画素４の画素が並んでいる行間を覆っている。右端の額縁部分のダミー画素の部分（図の塗りつぶし部分）で遮光層５は切り離されている。
【００３９】
図３Ｅは、図３Ｂにおいてｈ−ｈ部の断面を表した図である。
図３Ｅに示すように、ＴＦＴ基板３１の上にカラーフィルタＣＦが配設されている。左から赤カラーフィルタ１１、緑カラーフィルタ１２、青カラーフィルタ１３、赤カラーフィルタ１１が配置されている。右端の赤カラーフィルタ１１には青カラーフィルタ１３が積層されている。この部分は額縁部分のダミー画素の部分である。その他の部分は有効画素部分である。
遮光層５は右側の額縁部分を覆っている。遮光層５は、画素の行間において額縁部分の左端のダミー画素の部分で切り離されているので、右側の赤カラーフィルタ１１の上部には遮光層５はない。有効画素部分については信号線配線上に遮光層５が設けられる。
【００４０】
額縁部分であり、その左端のダミー画素である赤カラーフィルタ１１には上述のとおりその色とは異なる青カラーフィルタ１３が積層されている。積層するカラーフィルタは赤以外の色であればいずれのカラーフィルタでもよい。
Ｒ画素２、Ｇ画素３、Ｂ画素４の画素は図示していないが、ＴＦＴ基板３１とカラーフィルタＣＦとの間に形成されている。
【００４１】
図３Ｆは、図３Ｂにおいてｇ−ｇ部の断面を表した図である。
図３Ｆに示すように、ＴＦＴ基板３１の上にカラーフィルタＣＦが配設されている。左から赤カラーフィルタ１１、緑カラーフィルタ１２、青カラーフィルタ１３、赤カラーフィルタ１１が配置されている。右端の赤カラーフィルタ１１には青カラーフィルタ１３が積層されている。この部分は額縁部分のダミー画素の部分である。その他の部分は有効画素部分である。
Ｒ画素２、Ｇ画素３、Ｂ画素４の画素は図示していないが、ＴＦＴ基板３１とカラーフィルタＣＦとの間に形成されている。
遮光層５は赤カラーフィルタ１１、緑カラーフィルタ１２および青カラーフィルタ１３を覆っている。この部分は画素の行間であって画素回路や走査線が配置される部分であり、有効画素の部分である。また遮光層５は、額縁部分を覆っている。そして、遮光層５は額縁部分の有効画素部分に近接する赤カラーフィルタ１１の上で切り離されている。赤カラーフィルタ１１には、赤とは違う色の青カラーフィルタ１３が積層されている。この場合、赤以外であればいずれのカラーフィルタで積層してもよい。
この遮光層５の切り離しにより帯電を抑えるとともに、さらに切り離し部分にその部分の赤カラーフィルタ１１とは異なる色のカラーフィルタを積層することにより、透過率を減少させ、外からの光の反射を抑えることができ反射輝線を抑えることができる。
【００４２】
以上の構成により、帯電による遮光部分が明るくなる現象を抑えることができるとともに、外部の光による反射を抑えることができる。これにより、さらに高品質な画像を表示できる表示装置を実現できる。
第１の実施の形態では、帯電した際に赤および青の画素がひかるとそれが認識されることになるが、第２の実施の形態では額縁部分の切り離した部分の画素上部にも異なる色のカラーフィルタＣＦを積層するので、帯電した際に画素が光っても、第１の実施の形態に比較して輝線としてさらに認識されにくい。
【００４３】
＜４．第３の実施の形態＞
本開示の第３の実施の形態を図４により説明する。
本実施の形態では、液晶パネルの画素に白（Ｗ）画素を追加した液晶パネル１０を対象とする。第１の実施の形態では、外部からの光の反射を防止するために遮光層５で額縁部分と有効画素部分の画素の行と行との間および信号線配線部分とを覆っていた。そして、有効画素部分の左右のＲ画素２部分およびＢ画素４部分で遮光層５は切り離されていた。本実施の形態では、有効画素部分の右端から２番目のＢ画素４の画素部分で切り離そうとするものである。
切り離した部分にはその画素列とは色の相違するカラーフィルタを積層している。
既に説明した部分と同様となる部分については同一符号を付して説明を省略する。
【００４４】
図４Ａは、液晶パネル１０の正面を模式的に表した図である。
図４Ａに示すように、液晶パネル１０は、Ｒ画素２、Ｇ画素３、Ｂ画素４、Ｗ画素７の画素が周期的に繰り返し配置され、全体としてマトリクス状に配列されている。
ここで、Ｒ画素２、Ｇ画素３、Ｂ画素４、Ｗ画素７の各画素は液晶画素に相当する。
Ｒ画素２、Ｇ画素３、Ｂ画素４、Ｗ画素７がマトリクス状に配列表示されている部分が有効画素部分である。その外側が額縁部分でありダミー画素が配列されている。額縁部分のダミー画素の配列順番は有効画素部分と同様とされる。
第１の実施の形態では、遮光層５は有効画素部分の左端のＲ画素２の画素列の配置された部分または右端のＢ画素４の画素列の配置された部分で切り離されていた。
これに対し、本実施の形態では、右端のＷ画素７の画素列の手前（左側）のＢ画素４の画素列で切り離そうとするものである。これはＷ画素７の画素部分で切り離すとこの部分の配線反射が目立ってしまうからである。
【００４５】
図４Ｂは、図４Ａの点線で囲まれた部分を拡大した図である。
図４Ｂに示すように、遮光層５が液晶パネル１０の額縁部分を覆い、さらにＲ画素２、Ｇ画素３、Ｂ画素４、Ｗ画素７の画素が並んでいる行と行との間を覆っている。有効画素部分の右端のＷ画素７の画素列の左側であるＢ画素４の画素列の部分（図の塗りつぶし部分）で遮光層５は切り離されている。ここでの切り離しにより、Ｗ画素７の画素部分の配線の反射を抑えることができる
切り離した部分にはその画素列とは色の相違するカラーフィルタを積層している。その断面構造は図４Ｃおよび図４Ｄに示す。
【００４６】
図４Ｃは図４Ｂにおける液晶パネル１０のｊ−ｊ部分の断面構造を簡略に表したものである。
図４Ｃに示すように、ＴＦＴ基板３１の上にカラーフィルタＣＦが配設されている。左から赤カラーフィルタ１１、緑カラーフィルタ１２、青カラーフィルタ１３および白カラーフィルタ１４が配置されている。
Ｒ画素２、Ｇ画素３、Ｂ画素４およびＷ画素７の画素は図示していないが、ＴＦＴ基板３１とカラーフィルタＣＦとの間に形成されている。青カラーフィルタ１３には赤カラーフィルタ１１が積層されている。遮光層５は額縁部分を覆っている。ｊ−ｊ部分は画素の行間ではないので遮光層５は信号線配線部分に形成される。
【００４７】
図４Ｄは図４Ｂにおいてｉ−ｉ部分の断面構造を表した図である。
図４Ｄに示すように、ＴＦＴ基板３１の上にカラーフィルタＣＦが配設されている。左から赤カラーフィルタ１１、緑カラーフィルタ１２、青カラーフィルタ１３、白カラーフィルタ１４が配置されている。右端の白カラーフィルタ１４の左側の青カラーフィルタ１３には赤カラーフィルタ１１が積層されている。
Ｒ画素２、Ｇ画素３、Ｂ画素４、Ｗ画素７の画素は図示していないが、ＴＦＴ基板３１とカラーフィルタＣＦとの間に形成されている。
【００４８】
ｉ−ｉ部分は画素の行間である。したがって、遮光層５は走査線や画素回路部分等の配線回路部分に形成され、赤カラーフィルタ１１、緑カラーフィルタ１２を覆っている。また遮光層５は白カラーフィルタ１４および額縁部分を覆っている。そして、遮光層５は有効画素部分の右端の白カラーフィルタ１４の左側の青カラーフィルタ１３の上で切り離されている。青カラーフィルタ１３には、青とは違う色の赤カラーフィルタ１１が積層されている。この場合、積層するカラーフィルタは青以外の色であればいずれのカラーフィルタでもよい。
この遮光層５の切り離しにより帯電を抑えるとともに、さらに切り離し部分にその部分の青カラーフィルタ１３とは異なる色のカラーフィルタを積層することにより、透過率を減少させ、外からの光による配線の反射を抑えることができる。
以上の構成によりさらに高品質な画像を表示できる表示装置を実現できる。
【００４９】
＜５．第４の実施の形態＞
本開示の第４の実施の形態を図５により説明する。
本実施の形態では、液晶パネルの画素にＷ画素７を追加した液晶パネル１０を対象とする。第２の実施の形態においては、左右にある額縁部分のダミー画素部分で遮光層５が切り離されていた。本実施の形態では、右側の額縁部分の有効画素部分に近接した赤のダミー画素部分で切り離そうとするものである。
既に説明した部分と同様となる部分については同一符号を付して説明を省略する。
【００５０】
図５Ａは、その詳細を示すものであり、図４において図４Ｂに相当する図である。
図５Ａに示すように、遮光層５がＲ画素２、Ｇ画素３、Ｂ画素４、Ｗ画素７の画素が並んでいる行間を覆っている。右端の額縁部分のダミー画素の部分（図の塗りつぶし部分）で遮光層５は切り離されている。
【００５１】
図５Ｂは、図５Ａにおいてｌ−ｌ部の断面構造を表した図である。
図５Ｂに示すように、ＴＦＴ基板３１の上にカラーフィルタＣＦが配設されている。左から赤カラーフィルタ１１、緑カラーフィルタ１２、青カラーフィルタ１３、白カラーフィルタ１４、赤カラーフィルタ１１が配置されている。右端の赤カラーフィルタ１１には色の異なる青カラーフィルタ１３が積層されている。この部分は額縁部分のダミー画素の部分である。その他の部分は有効画素部分である。積層するカラーフィルタは赤でなければいずれのカラーフィルタで積層してもよい。
【００５２】
遮光層５は右側の額縁部分を覆っている。ｌ−ｌ部分は画素の行間ではないのでその他は信号線配線部分のみ遮光層５が形成される。Ｒ画素２、Ｇ画素３、Ｂ画素４、Ｗ画素７の画素は図示していないが、ＴＦＴ基板３１とカラーフィルタＣＦとの間に形成されている。切り離し部分にその部分の赤カラーフィルタ１１とは異なる色の青カラーフィルタ１３が積層されている。積層するカラーフィルタは赤以外の色であればいずれのカラーフィルタでもよい。
【００５３】
図５Ｃは、図５Ａにおいてｋ−ｋ部の断面構造を表した図である。
図５Ｃに示すように、ＴＦＴ基板３１の上にカラーフィルタＣＦが配設されている。左から赤カラーフィルタ１１、緑カラーフィルタ１２、青カラーフィルタ１３、白カラーフィルタ１４、赤カラーフィルタ１１が配置されている。右端の赤カラーフィルタ１１には色の異なる青カラーフィルタ１３が積層されている。この部分は額縁部分のダミー画素の部分である。その他の部分は有効画素部分である。積層するカラーフィルタは赤以外の色であればいずれのカラーフィルタで積層してもよい。
Ｒ画素２、Ｇ画素３、Ｂ画素４、白（ｗ）７の画素は図示していないが、ＴＦＴ基板３１とカラーフィルタＣＦとの間に形成されている。
【００５４】
ｋ−ｋ部分は画素の行間である。したがって、遮光層５は走査線や画素回路部分等の配線回路部分に形成され、赤カラーフィルタ１１、緑カラーフィルタ１２、青カラーフィルタ１３、白カラーフィルタ１４を覆っている。この部分は有効画素の部分である。そして、遮光層５は額縁部分の有効画素部分に近接する赤カラーフィルタ１３の上で切り離されている。また遮光層５は、その外側の額縁部分を覆っている。赤カラーフィルタ１１には、赤とは違う色の青カラーフィルタ１３が積層されている。この場合、赤以外であればいずれのカラーフィルタで積層してもよい。
【００５５】
以上の構成により、画素にＷ画素７を追加した液晶パネル１０に対して、帯電によりＷ画素７が光り、遮光部分が明るくなる現象を抑えることができる。これにより、高品質な画像を表示できる表示装置を実現できる。さらに、液晶パネルの歩留まりを改善できる。
【００５６】
＜６．第５の実施の形態＞
本開示の第５の実施の形態を図６により説明する。
図６Ａは、液晶パネル２０の正面を模式的に表した図である。この液晶パネル２０にはカバープレート２１が装着される。図６Ｃにこのカバープレート２１の外観を示す。図６Ｄに液晶パネル２０にカバープレート２１を装着した状態の外観を示す。
既に説明した部分と同様となる部分については同一符号を付して説明を省略する。
【００５７】
図６Ａに示すように、液晶パネル２０は、Ｒ画素２、Ｇ画素３、Ｂ画素４の画素が周期的に繰り返し配置され、全体としてマトリクス状に配列されている。ここで、Ｒ画素２、Ｇ画素３、Ｂ画素４の画素は既述の液晶画素に相当する。
Ｒ画素２、Ｇ画素３、Ｂ画素４の画素がマトリクス状に配列表示されている部分が有効画素部分である。その外側が額縁部分でありダミー画素が配列されている。額縁部分のダミー画素の配列は有効画素部分と同様である。
本実施の形態は、額縁部分を覆っている遮光層５の切り離し箇所が液晶パネル２０の額縁部分にあり、切り離し部２４でロの字の形状に切り離すものである。
【００５８】
図６Ｂは、図６Ａにおいてｍ−ｍ部分の断面を表した図である。
図６Ｂに示すように、遮光層５は額縁部分を覆い、切り離し部２４で切り離されている。  切り離し部２４には、例えば青カラーフィルタが積層される。これにより外部からの光の配線反射を抑えることができる。また、これにさらに赤カラーフィルタ１１を積層し全体として青カラーフィルタと赤カラーフィルタを積層してもよい。配線反射をさらに抑えることができる。
また、切り離し部２４の下部に遮光メタル２３を配置する。これによりバックライトからの光が切り離し部２４から出力されるのを防止する。
Ｒ画素２、Ｇ画素３、Ｂ画素４の画素は図示していないが、ＴＦＴ基板３１とカラーフィルタＣＦとの間に形成されている。
【００５９】
図６Ｃは、液晶パネル２０に装着するカバープレート２１の外観を表した図である。このカバープレート２１が液晶パネル２０に装着されれば、液晶パネル２０の額縁部分は隠されることになる。したがって、この液晶パネル２０の額縁部分に相当するところカバープレート２１の光の透過率が低ければ、上述の切り離し部２４の赤カラーフィルタ１１と青カラーフィルタ等の積層は省略することができる。
【００６０】
図６Ｄは液晶パネル２０にカバープレート２１を装着した状態２２の外観を表す図である。液晶パネル２０の使用状態を表している。カバープレート２１の額縁部分により切り離し部２４は認識されない。  
【００６１】
つぎに本開示の第５の実施の形態の２つの変形例について図７により説明する。
図７Ａは液晶パネル２０内にあるシール材４１が塗布されている位置を表すものである。シール材４１は、ＴＦＴ基板３１等からなる画素基板４２とカラーフィルタ３３等からなる対向基板４３を接着する接着剤である。図７Ａに示すように、シール材４１は額縁部分に塗布され、２つの基板を接着している。図７Ｂはその断面構造を示すものである。
図７Ｂに示すように、画素基板４２と対向基板４３が額縁部分のシール材４１で接着されている。そして、一般的に遮光層５が額縁部分の全面に形成されている。この状態では遮光層５は低抵抗であるため、右端から外部のチャージが画素内部に進入し額縁部分が黒表示状態になっていても明るくなってしまう不具合が発生するとされている。
【００６２】
図７Ｃは本実施の形態の１つの変形例を示すものである。図７Ｃに示すように、この変形例は、液晶パネル２０の端からシール材の部分まで遮光層５を額縁部分に沿ってロの字の形状に削り取るものである。そして、シール材４１が蓋をするような形で遮光層５を外部と切り離すものである。これによりシール材は絶縁体なので、外部からチャージの侵入を防ぐことになり、画面が明るくなるのを防止することができる。
【００６３】
図７Ｄは本実施の形態のもう１つの変形例を示すものである。図７Ｄに示すように、遮光層５をシール材４１の部分で額縁部分に沿ってロの字の形状に切り離すものである。そして、その切り離し部分２４には青カラーフィルタ１３と赤カラーフィルタ１１とを積層するものである。遮光層５の切り離し部分がシール材４１の部分であることから、外部からチャージの侵入を防ぐとともに、液晶パネル２０の端からの光ぬけを防止でき、さらに外部からの光の配線反射を防ぐことができ好適である。
【００６４】
以上の構成により、帯電による遮光部分が明るくなる現象を抑えることができるとともに、外部の光による反射を抑えることができる。また、バックライトの光が外部に透過することを抑えることができる。これにより、さらに高品質な画像を表示できる液晶パネルを実現できる。
【００６５】
＜７．その他電子機器への適用例、変形例＞
以上、実施の形態を説明してきたが、上述した液晶表示装置の構成は一例であり、また画素の構成も一例である。本開示の技術は、各種液晶表示装置に用いられる装置構成において適用できるものである。
また本開示は液晶表示装置にかかわらず各種表示装置に広く適用できる。
【００６６】
次に図９〜図１１を参照して、実施の形態で説明した液晶表示装置の適用例について説明する。実施の形態の液晶表示装置は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器に適用することが可能である。
【００６７】
（適用例１）
図９Ａは、実施の形態の液晶表示装置が適用されるテレビジョン装置の外観を表したものである。このテレビジョン装置は、例えば、フロントパネル５１１およびフィルターガラス５１２を含む映像表示画面部５１０等を有しており、この映像表示画面部５１０は、上記実施の形態に係る液晶表示装置により構成されている。
【００６８】
（適用例２）
図９Ｂは、上記実施の形態の液晶表示装置が適用されるノート型パーソナルコンピュータの外観を表したものである。このノート型パーソナルコンピュータは、例えば、本体５３１、文字等の入力操作のためのキーボード５３２および画像を表示する表示部５３３等を有しており、その表示部５３３は、上記実施の形態に係る液晶表示装置により構成されている。
【００６９】
（適用例３）
図９Ｃは、上記実施の形態の液晶表示装置が適用されるビデオカメラの外観を表したものである。このビデオカメラは、例えば、本体部５４１、この本体部５４１の前方側面に設けられた被写体撮像用のレンズ５４２、撮像時のスタート／ストップスイッチ５４３および表示部５４４等を有しており、その表示部５４４は、上記実施の形態に係る液晶表示装置により構成されている。
【００７０】
（適用例４）
図１０Ａ、図１０Ｂは、上記実施の形態の液晶表示装置が適用されるデジタルカメラの外観を表したものである。図１０Ａは正面側、図１０Ｂは背面側の外観を示している。このデジタルカメラは、例えば、タッチパネル付きの表示部５２０、撮像レンズ５２１、フラッシュ用の発光部５２３、シャッターボタン５２４等を有しており、その表示部５２０は、上記実施の形態に係る液晶表示装置により構成されている。
【００７１】
（適用例５）
図１１は、上記実施の形態の液晶表示装置が適用される携帯電話機の外観を表したものである。図１１Ａは筐体を開いた状態の操作面及び表示面、図１１Ｂは筐体を閉じた状態の上面側、図１１Ｃは筐体を閉じた状態の底面側をそれぞれ示している。図１１Ｄ、図１１Ｅは筐体を閉じた状態の上面側からと底面側からの斜視図である。
この携帯電話機は、例えば、上側筐体５５０と下側筐体５５１とを連結部（ヒンジ部）５５６で連結したものであり、ディスプレイ５５２、サブディスプレイ５５３、キー操作部５５４、カメラ５５５等を有している。ディスプレイ５５２またはサブディスプレイ５５３は、上記実施の形態に係る液晶表示装置により構成されている。
【００７２】
なお本技術は以下のような構成も採ることができる。
（１）画素としての液晶がマトリクス状に複数配列された表示部と、
該画素を選択する複数の走査線と、
選択された画素に画像信号を供給する複数の信号線と、
上記画素の色表示に対応して配置されたカラーフィルタとを備え、
上記表示部は有効画素部分と該有効画素部分を取り囲む額縁部分とを有し、
上記額縁部分と上記有効画素部分の配線回路が遮光層により覆われるとともに、該遮光層は表示部上のいずれかの箇所で切り離され、該箇所に異なる色の複数のカラーフィルタを積層配置している表示装置。
（２）上記切り離しの箇所が上記有効画素部分の左端と右端の画素部分である上記（１）に記載の表示装置。
（３）上記切り離しの箇所が上記額縁部分にあり、上記有効画素部分に近接しかつ上記有効画素部分の外側である上記（１）に記載の表示装置。
（４）上記切り離しの箇所が上記額縁部分にあり、該額縁部分に沿って形成され、上記切り離し形状がロの字の形状である上記（１）に記載の表示装置。
（５）上記走査線と上記信号線を含む画素基板と上記カラーフィルタを含む対向基板とがシール材で接着され、
上記切り離し形状がロの字の形状であり、上記切り離しの箇所が上記シール材の部分にある上記（１）に記載の表示装置。
（６）上記画素は赤、緑、青の３色である上記（１）乃至（５）のいずれかに記載の表示装置。
（７）上記画素は赤、緑、青、白の４色である上記（１）乃至（５）のいずれかに記載の表示装置。
（８）上記切り離しの箇所が上記有効画素部分の右端の１つ手前の画素部分である上記（７）に記載の表示装置。
（９）上記切り離しの箇所が上記額縁部分にあり、上記有効画素部分に近接しかつ上記有効画素部分の外側である上記（７）に記載の表示装置。
【符号の説明】
【００７３】
１  １０  ２０  ３０  液晶パネル、２  赤画素、３  青画素、４  青画素、５  遮光層、７  白画素、１１  赤カラーフィルタ、１２  緑カラーフィルタ、１３  青カラーフィルタ、１４  白カラーフィルタ、２１  カバープレート、２３  遮光メタル、２４  切り離し部、３１  ＴＦＴ基板、３２  画素電極、３３  カラーフィルタ、３４  ガラス基板、３５  ３７  偏光板、３６  液晶層、４１  シール材、５１０  映像表示画面部、５１１  フロントパネル、５１２  フィルターガラス、５２０  表示部、５２１  撮像レンズ、５２３  発光部、５２４  シャッターボタン、５３１  本体、５３２  キーボード、５３３  表示部、５４１  本体部、５４２  レンズ、５４３  スタート／ストップスイッチ、５４４  表示部、５５０  上側筐体、５５１  下側筐体、５５２  ディスプレイ、５５３  サブディスプレイ、５５４  キー操作部、５５５  カメラ
【図１】
0005826084.tif 000002
【図２】
0005826084.tif 000003
【図３】
0005826084.tif 000004
【図４】
0005826084.tif 000005
【図５】
0005826084.tif 000006
【図７】
0005826084.tif 000007
【図８】
0005826084.tif 000008
【図９】
0005826084.tif 000009
【図１０】
0005826084.tif 000010
【図１１】
0005826084.tif 000011
【図６】
0005826084.tif 000012